(57)【要約】 【課題】  安価で位置検出の誤差が発生せず、また生産時の歩留及び効率が良い狭額縁タッチパネルを提供する【解決手段】  透明絶縁基材（２１）の上面に透明電極（２２）を有すると共に、透明電極の平行な２辺に一対のバスバー（２３，２４）と、透明電極以外の部分にバスバーと接続される外部端子接続用の引き回し回路（２５，２６）とをそれぞれ有する下側電極部材（２）と、可撓性を有する透明絶縁基材（１１）の下面に透明電極（１２）を有すると共に、透明電極の平行な２辺に一対のバスバー（１３，１４）と、透明電極以外の部分にバスバーと接続される外部端子接続用の引き回し回路（１５，１６）とをそれぞれ有する上側電極部材（１）とが絶縁性のスペーサ（３）を介して対向させ、周縁部において接着しているタッチパネルにおいて、バスバーと引き回し回路を、線径３０〜１００μｍの金属細線（８，２２３，２２４，１１３，１１４）にて形成している。【選択図】      図１
2005128993.tif 000002
【特許請求の範囲】
【請求項１】
下側透明絶縁基材の上面の一部に下側透明電極を有すると共に、上記下側透明電極の平行な２辺に一対の下側バスバーと、上記下側透明電極以外の部分に上記下側バスバーと接続される下側外部端子接続部とをそれぞれ有する下側電極部材と、
可撓性を有する上側透明絶縁基材の下面の一部に上側透明電極を有すると共に、上記上側透明電極の平行な２辺に一対の上側バスバーと、上記上側透明電極以外の部分に上記上側バスバーと接続される上側外部端子接続部とをそれぞれ有する上側電極部材とを備えて、
上記下側電極部材と上記上側電極部材とを、上記上側バスバーと上記下側バスバーとが方形配置となるように絶縁性のスペーサを介して対向させ、周縁部において接着しているアナログ抵抗膜方式のタッチパネルにおいて、
上記下側バスバーを線径３０〜１００μｍの金属細線にて形成するとともに、上記上側バスバーを線径３０〜１００μｍの金属細線にて形成している狭額縁タッチパネル。
【請求項２】
上記下側電極部材は、上記下側透明電極以外の部分に上記下側バスバーと上記下側外部端子接続部とを接続する下側引き回し回路をさらに有するとともに、上記上側電極部材は、上記上側透明電極以外の部分に上記上側バスバーと上記上側外部端子接続部とを接続する上側引き回し回路をさらに有し、上記下側引き回し回路を線径３０〜１００μｍの金属細線にて形成するとともに、上記上側引き回し回路を線径３０〜１００μｍの金属細線にて形成している請求項１に記載の狭額縁タッチパネル。
【請求項３】
上記下側引き回し回路と上記上側引き回し回路をそれぞれ構成する上記金属細線を、上記下側電極部材と上記上側電極部材の外側まで延設させて上記下側外部端子接続部と上記上側外部端子接続部としている請求項２に記載の狭額縁タッチパネル。
【請求項４】
上記下側バスバーと上記下側外部端子接続部とを直接接続し、かつ、上記下側バスバーと上記下側外部端子接続部とを線径３０〜１００μｍの金属細線にて形成するとともに、上記上側バスバーと上記上側外部端子接続部とを直接接続し、かつ、上記上側バスバーと上記上側外部端子接続部とを線径３０〜１００μｍの金属細線にて形成し、かつ、上記上側外部端子接続部の上記金属細線と、上記下側外部端子接続部の上記金属細線とを、上記下側電極部材と上記上側電極部材とを接着したものの外側まで延設させる請求項１に記載の狭額縁タッチパネル。
【請求項５】
上記上側電極部材及び上記下側電極部材のそれぞれにおいて、上記金属細線が導電性ペーストを介して上記上側透明絶縁基材及び上記下側透明絶縁基材上にそれぞれ固着されている請求項１〜４のいずれか１つに記載の狭額縁タッチパネル。
【請求項６】
上記上側電極部材及び上記下側電極部材のそれぞれにおいて、上記金属細線のそれぞれが導電性ペーストにより被覆されて上記上側透明絶縁基材及び上記下側透明絶縁基材上にそれぞれ固着されている請求項１〜４のいずれか１つに記載の狭額縁タッチパネル。
【請求項７】
上記下側電極部材の上記下側引き回し回路の屈曲部及び上記下側バスバーの少なくとも一方における、上記導電性ペーストにより被覆されて形成された下側被覆層は、上記下側電極部材の上記金属細線の直径（Ｄ１）の２〜５倍の幅（Ｄ２）を有し、それ以外の部分における上記導電性ペーストにより被覆されて形成された下側被覆層は、上記下側電極部材の上記金属細線の直径（Ｄ１）の１〜５倍の幅（Ｄ２）を有し、また、上記上側電極部材の上記上側引き回し回路の屈曲部及び上記上側バスバーの少なくとも一方における、上記導電性ペーストにより被覆されて形成された上側被覆層は、上記上側電極部材の上記金属細線の直径（Ｄ１）の３〜５倍の幅（Ｄ２）を有し、それ以外の部分における上記導電性ペーストにより被覆されて形成された上側被覆層は、上記上側電極部材の上記金属細線の直径（Ｄ１）の２〜５倍の幅（Ｄ２）を有する請求項６に記載の狭額縁タッチパネル。
【請求項８】
上記金属細線は比抵抗値２０×１０−６Ω・ｃｍ以下である請求項１〜４のいずれか１つに記載の狭額縁タッチパネル。
【請求項９】
上記透明絶縁基材上の上記金属細線とその周囲が、比抵抗値１×１０−４Ω・ｃｍ以下の導電性ペーストで被覆されている請求項８に記載の狭額縁タッチパネル。
【発明の詳細な説明】
【技術分野】
【０００１】
本発明は、コンピュータに接続されたＬＣＤ（液晶ディスプレイ）やＣＲＴ（ブラウン管）などの表示画面上に配置し、透視した表示画面に表示された指示に従って指やペンなどで上から押圧することにより、押圧箇所の表示画面中における位置をコンピュータに入力することができるアナログ抵抗膜方式のタッチパネルに関するものである。特に、本発明は、携帯性を重視した情報端末（ＰＤＡ＝パーソナル・デジタル・アシスタント）に使用される入力領域や表示領域を広くとった狭額縁タッチパネルに関するものである。
【背景技術】
【０００２】
従来より、電子手帳やパソコンなどに使用されるタッチパネルとしてはアナログ抵抗膜方式のものがある。通常、図９に示されているように、透明絶縁基材４２１の上面の一部に透明電極４２２を有すると共に、透明電極４２２の平行な２辺に一対のバスバー４２３，４２４、透明電極４２２以外の部分にバスバー４２３，４２４と外部端子とを接続する引き回し回路４２５，４２６をそれぞれ有する下側電極部材４０２と、可撓性を有する透明絶縁基材４１１の下面の一部に透明電極４１２を有すると共に、透明電極４１２の平行な２辺に一対のバスバー４１３，４１４、透明電極４１２以外の部分にバスバー４１３，４１４と外部端子とを接続する引き回し回路４１５，４１６をそれぞれ有する上側電極部材４０１とを、バスバー４１３、４１４、４２３、４２４が方形配置となるように絶縁性のスペーサ４０３を介して対向させ、周縁部において接着している。また、引き回し回路４１５、４１６、４２５、４２６の他端はタッチパネルの一辺においてまとめられ、フィルムコネクタ４０７の端部と接続されている。
【０００３】
アナログ抵抗膜方式の透明タッチパネルの原理は、図１０に示すように、上側電極部材４０１上から任意の点Ｐを指やペンなどで押圧して両透明電極４１２、４２２の点Ｐの箇所を点接触させたとき、上側電極部材４０１の透明電極４１２に電圧を印加しかつ下側電極部材４０２の透明電極４２２には電圧を印加しないことによって、上側電極部材４０１の透明電極４１２はＸ方向に電位勾配が生じ、上側電極部材４０１の透明電極４１２上の点Ｐに分圧された電圧ｅｘが生じ、この電圧ｅｘは下側電極部材４０２の分圧出力端４０５から検出される。ここで、点Ｐの座標を（ｘ、ｙ）、上側電極部材４０１の透明電極４１２のバスバー４１３、４１４間の距離をＬ１、バスバー４１３、４１４間の電圧をＥとすると、ｅｘ／Ｅ＝ｘ／Ｌ１という関係により、電圧ｅｘから点Ｐのｘ座標を求めることができる。また、下側電極部材４０２の透明電極４２２に対する電圧を印加しかつ上側電極部材４０１の透明電極４１２には電圧を印加しないことによって、下側電極部材４０２の透明電極４２２上の点Ｐに分圧された電圧ｅｙが生じ、この電圧ｅｙは、下側電極部材４０１の透明電極４１２の分圧出力端４０４から検出される。ここで、下側電極部材４０１の透明電極４２２のバスバー４２３、４２４間の距離をＬ２、バスバー４２３、４２４間の電圧をＥとすると、ｅｙ／Ｅ＝ｙ／Ｌ２という関係により、電圧ｅｙから点Ｐのｙ座標を求めることができる。
【０００４】
ところで、最近では上記のようなタッチパネルについて、製品の小型化及び画面の大型化のため、バスバー及び引き回し回路の配線がパネルの縁から僅かの狭額縁範囲に納まるように形成することが望まれている。
【０００５】
しかし、上記バスバー４１３、４１４、４２３、４２４及び引き回し回路４１５、４１６、４２５、４２６の材料として金、銀、銅、若しくはニッケルなどの金属又はカーボンなどの導電フィラーを樹脂バインダー中に分散させた導電性ペーストが使用されているため、次のような問題があった。バスバー４１３、４１４、４２３、４２４及び引き回し回路４１５、４１６、４２５、４２６の配線には、バインダーとして含有する樹脂のために、導電性フィラーの固有抵抗以上の抵抗が発生する。そして、タッチパネルに定電圧をかけたときのタッチ位置は、上記したように分圧出力端で検出されるＸ方向の電圧ｅｘ及びＹ方向の電圧ｅｙで決まるが、タッチ位置のｘ座標が同じ場合でも、バスバー４１３、４１４、４２３、４２４に抵抗があれば、検出される位置のｘ座標は引き回し回路４１５、４１６、４２５、４２６との接続部分に近い箇所（図９中のａ）と遠い箇所（図９のｂ）とで完全には一致しないことになる。タッチ位置のｙ座標が同じ場合でも同様である。バスバー４１３、４１４、４２３、４２４には導電性ペースト材料で構成されることによる大きな抵抗があり、この抵抗はバスバー４１３、４１４、４２３、４２４を細く形成するとさらに大きくなり、引き回し回路４１５、４１６、４２５、４２６との接続部分に近い箇所（図９中のａ）と遠い箇所（図９中のｂ）とで位置検出の差がより大きく目立つことになる。つまり、リニアリティー（直線性）のため、透明タッチパネル上の指やペンの動きをそのまま入力できず、違った入力内容になる。バスバー４１３、４１４、４２３、４２４を太く形成すれば位置検出の差は目立たないが、それでは狭額縁のタッチパネルを得ることは出来ないことになる。
【０００６】
また、タッチパネルにおいては、タッチパネルのタッチ位置と、これを検出して得られるＬＣＤの表示位置とが重なって見えるように特定の補正（キャリブレーション）がされている。そして、タッチパネルに定電圧をかけたときのタッチ位置は、上記したように分圧出力端で検出されるＸ方向の電圧ｅｘ及びＹ方向の電圧ｅｙで決まるが、透明電極の抵抗が経時的に又は環境温度により変化した場合には検出される電圧が変わり、ＬＣＤの表示位置と位置ズレを起こす。そして、バスバー及び引き回し回路には導電性ペースト材料で構成されることによる大きな抵抗があり、この配線抵抗が大きいほど透明電極の抵抗が経時的に又は環境温度により変化したときの位置ズレも大きい。上記したように定電圧Ｅが分圧されて入力位置が決まるが、正確には、定電圧Ｅは配線抵抗を含んだものでありバスバーでは電圧Ｅ´となるため、電圧Ｅ´が分圧されて入力位置が決まる。そのため、配線抵抗が経時的に又は環境温度により変化せずに透明電極の抵抗が経時的に又は環境温度により変化する場合、配線抵抗が大きいほど透明電極の抵抗の経時変化又は環境温度による変化によるＥ´の変化が大きくなり、タッチパネルのタッチ位置とＬＣＤの表示位置とで位置ズレが大きく目立つことになるのである。バスバー及び引き回し回路を太く形成すれば、タッチパネルのタッチ位置とＬＣＤの表示位置とで位置ズレは起きても目立たないが、それでは、やはり狭額縁のタッチパネルを得ることは出来ない。
【０００７】
以上のように、従来のタッチパネルは狭額縁化に制限があり、大型のタッチパネルにおいてはバスバー及び引き回し回路が長くなることによって配線抵抗が大きくなるため、さらに狭額縁化が困難である。
【０００８】
そこで、これらの問題を解決するために、本出願人は、以前、バスバー及び引き回し回路の配線を金属材料のみを構成材料として形成することを提案した（特開２００１−２１６０９０号公報参照）。具体的には、電気めっき法、真空蒸着法、スパッタリング法、イオンプレーティング法、ＣＶＤ法などで形成される、金、銀、銅、ニッケル等のみからなる金属材料により構成したものである。
【特許文献１】特開２００１−２１６０９０号公報
【発明の開示】
【発明が解決しようとする課題】
【０００９】
しかし、特許文献１に記載のバスバー及び引き回し回路には、下記のような問題があった。
【００１０】
まず、特許文献１において金属材料のみを構成材料として形成したバスバー及び引き回し回路は、電気めっき法、真空蒸着法、スパッタリング法、イオンプレーティング法、若しくはＣＶＤ法などで形成されたものである。電気めっき法以外は、金属薄膜を全面形成の後にバスバー及び引き回し回路として不要な部分を除去しなければならない形成手段であっため、除去した金属材料が無駄となり、タッチパネルの製造コストが高くつくという問題があった。また、電気めっき法においては、メッキ浴に全面浸漬するため、その後、水洗を行なったとしても透視入力する領域に汚れを生ずるおそれがあり、歩留まりに問題があった。
【００１１】
また、このバスバー及び引き回し回路は、電気めっき法、真空蒸着法、スパッタリング法、イオンプレーティング法、若しくはＣＶＤ法などで形成される薄膜であるため、その断面積の大小はバスバー及び引き回し回路の形成幅の影響を大きく受けた。したがって、狭額縁化を図ると、バスバー及び引き回し回路の断面積が小さくなり、すなわち抵抗が大きくなり、タッチパネルに位置検出の誤差が発生しやすくなった。バスバー及び引き回し回路を厚く形成すれば位置検出の差は目立たないが、上記の各薄膜形成法にて３０μｍ以上の厚膜を形成しようとすると非常に長い時間がかかり、生産効率が悪くなるという問題がある。また、電気めっき法以外の真空蒸着法、スパッタリング法、イオンプレーティング法、ＣＶＤ法においては、厚膜とすれば、その分だけ除去する金属材料も増えてしまい、上記コストの問題がさらに大きくなるという問題がある。
【００１２】
したがって、本発明の目的は、上記の問題点を解決し、安価で位置検出の誤差が発生せず、また生産時の歩留及び効率が良い狭額縁タッチパネルを提供することにある。
【課題を解決するための手段】
【００１３】
本発明は、上記目的を達成するため、以下のように構成している。
【００１４】
本発明の第１態様によれば、下側透明絶縁基材の上面の一部に下側透明電極を有すると共に、上記下側透明電極の平行な２辺に一対の下側バスバーと、上記下側透明電極以外の部分に上記下側バスバーと接続される下側外部端子接続部とをそれぞれ有する下側電極部材と、
可撓性を有する上側透明絶縁基材の下面の一部に上側透明電極を有すると共に、上記上側透明電極の平行な２辺に一対の上側バスバーと、上記上側透明電極以外の部分に上記上側バスバーと接続される上側外部端子接続部とをそれぞれ有する上側電極部材とを備えて、
上記下側電極部材と上記上側電極部材とを、上記上側バスバーと上記下側バスバーとが方形配置となるように絶縁性のスペーサを介して対向させ、周縁部において接着しているアナログ抵抗膜方式のタッチパネルにおいて、
上記下側バスバーを線径３０〜１００μｍの金属細線にて形成するとともに、上記上側バスバーを線径３０〜１００μｍの金属細線にて形成している狭額縁タッチパネルを提供する。
【００１５】
本発明の第２態様によれば、上記下側電極部材は、上記下側透明電極以外の部分に上記下側バスバーと上記下側外部端子接続部とを接続する下側引き回し回路をさらに有するとともに、
上記上側電極部材は、上記上側透明電極以外の部分に上記上側バスバーと上記上側外部端子接続部とを接続する上側引き回し回路をさらに有し、
上記下側引き回し回路を線径３０〜１００μｍの金属細線にて形成するとともに、上記上側引き回し回路を線径３０〜１００μｍの金属細線にて形成している第１の態様に記載の狭額縁タッチパネルを提供する。
【００１６】
本発明の第３態様によれば、上記下側引き回し回路と上記上側引き回し回路をそれぞれ構成する上記金属細線を、上記下側電極部材と上記上側電極部材の外側まで延設させて上記下側外部端子接続部と上記上側外部端子接続部としている第２の態様に記載の狭額縁タッチパネルを提供する。
【００１７】
本発明の第４態様によれば、上記下側バスバーと上記下側外部端子接続部とを直接接続し、かつ、上記下側バスバーと上記下側外部端子接続部とを線径３０〜１００μｍの金属細線にて形成するとともに、上記上側バスバーと上記上側外部端子接続部とを直接接続し、かつ、上記上側バスバーと上記上側外部端子接続部とを線径３０〜１００μｍの金属細線にて形成し、かつ、上記上側外部端子接続部の上記金属細線と、上記下側外部端子接続部の上記金属細線とを、上記下側電極部材と上記上側電極部材とを接着したものの外側まで延設させる第１の態様に記載の狭額縁タッチパネルを提供する。
【００１８】
本発明の第５態様によれば、上記上側電極部材及び上記下側電極部材のそれぞれにおいて、上記金属細線が導電性ペーストを介して上記上側透明絶縁基材及び上記下側透明絶縁基材上にそれぞれ固着されている第１〜４のいずれか１つの態様に記載の狭額縁タッチパネルを提供する。
【００１９】
本発明の第６態様によれば、上記上側電極部材及び上記下側電極部材のそれぞれにおいて、上記金属細線のそれぞれが導電性ペーストにより被覆されて上記上側透明絶縁基材及び上記下側透明絶縁基材上にそれぞれ固着されている第１〜４のいずれか１つの態様に記載の狭額縁タッチパネルを提供する。
【００２０】
本発明の第７態様によれば、上記下側電極部材の上記下側引き回し回路の屈曲部及び上記下側バスバーの少なくとも一方における上記導電性ペーストにより被覆されて形成された下側被覆層は、上記下側電極部材の上記金属細線の直径の２〜５倍の幅を有し、それ以外の部分における上記導電性ペーストにより被覆されて形成された下側被覆層は、上記下側電極部材の上記金属細線の直径の１〜５倍の幅を有し、また、上記上側電極部材の上記上側引き回し回路の屈曲部及び上記上側バスバーの少なくとも一方における上記導電性ペーストにより被覆されて形成された上側被覆層は、上記上側電極部材の上記金属細線の直径の３〜５倍の幅を有し、それ以外の部分における上記導電性ペーストにより被覆されて形成された上側被覆層は、上記上側電極部材の上記金属細線の直径の２〜５倍の幅を有する第６の態様に記載の狭額縁タッチパネルを提供する。
【００２１】
本発明の第８態様によれば、上記金属細線は比抵抗値２０×１０−６Ω・ｃｍ以下である第１〜４のいずれか１つの態様に記載の狭額縁タッチパネルを提供する。
【００２２】
本発明の第９態様によれば、上記透明絶縁基材上の上記金属細線とその周囲が、比抵抗値１×１０−４Ω・ｃｍ以下の導電性ペーストで被覆されている第８の態様に記載の狭額縁タッチパネルを提供する。
【発明の効果】
【００２３】
本発明の狭額縁タッチパネルは、上記した構成からなるので、次の効果が奏される。
【００２４】
すなわち、本発明の狭額縁タッチパネルは、上側及び下側バスバーに金属細線を用いることでパターニングが不要となり、材料を無駄に捨てずに済み、安価なタッチパネルが得られる。また、メッキ浴への全面浸漬に起因する透視入力する領域への汚れを生じず、歩留まりのよいタッチパネルが得られる。
【００２５】
また、上側及び下側バスバー金属細線を用いることで、充分な断面積をそれぞれ確保しながら、つまり、タッチパネルに位置検出の誤差が発生しないよう抵抗を小さく抑えながら、同時に幅を細く形成できる。したがって、タッチパネルの周縁部において上側及び下側バスバーの形成面積をそれぞれ小さくすること、すなわち、狭額縁化を進めることができる。この場合、断面積の大きい、上側及び下側バスバーの形成に時間がかからず、生産効率に優れている。
【発明を実施するための最良の形態】
【００２６】
本発明の記述を続ける前に、添付図面において同じ部品については同じ参照符号を付している。
【００２７】
以下に、図を参照しながら本発明の第１実施形態に係る狭額縁タッチパネルを詳細に説明する。なお、タッチパネルの狭額縁とは、タッチパネルの上下の透明絶縁基材において、透明絶縁基材の周囲のバスバー、引き回し回路、外部端子接続部を形成する配線領域であって、外形からの額縁幅寸法が、少なくとも３辺において２ｍｍ以下で形成されている領域を意味する。
【００２８】
図１に示されるタッチパネルは、下側透明絶縁基材２１の上面の一部に下側透明電極２２を有すると共に、下側透明電極２２の平行な２辺に配置された一対の下側バスバー２３，２４と、下側透明電極２２以外の部分に配置されかつ下側バスバー２３，２４に接続される下側引き回し回路２５，２６と、下側透明電極２２以外の部分に配置されかつ下側引き回し回路２５，２６に接続されて下側引き回し回路２５，２６と外部端子とを接続可能な下側外部端子接続部３０３，３０４とをそれぞれ有する下側電極部材２と、可撓性を有する上側透明絶縁基材１１の下面の一部に上側透明電極１２を有すると共に、上側透明電極１２の平行な２辺に配置された一対の上側バスバー１３，１４と、上側透明電極１２以外の部分に配置されかつ上側バスバー１３，１４に接続される上側引き回し回路１５，１６と、上側透明電極１２以外の部分に配置されかつ上側引き回し回路１５，１６に接続されて上側引き回し回路１５，１６と外部端子とを接続可能な上側外部端子接続部３０１，３０２とをそれぞれ有する上側電極部材１とを、上側及び下側バスバー１３，１４，２３，２４が方形配置となるように絶縁性のスペーサ３を介して対向させ、周縁部において接着しているアナログ抵抗膜方式のタッチパネルにおいて、上記上側及び下側バスバー１３，１４，２３，２４と上記上側及び下側引き回し回路１５，１６，２５，２６とを線径３０〜１００μｍの金属細線８にて形成し、且つ当該４本の金属細線８を上記上側電極部材１と下側電極部材２との外側まで延設させて上側及び下側外部端子接続部３０１，３０２，３０３，３０４としたものである。一例として、下側電極部材２では、下側引き回し回路２５，２６の２本の金属細線８を、図１の下側電極部材２の右上コーナー部分から外側まで延設させて下側外部端子接続部３０３，３０４とするとともに、上側電極部材１では、上側引き回し回路１５，１６の２本の金属細線８を、図１の上側電極部材１の上側辺の大略中央付近から外側まで延設させて上側外部端子接続部３０１，３０２とするようにしている。
【００２９】
下側電極部材２に用いられる下側透明絶縁基材２１としては、ソーダガラス、ホウケイ酸ガラス、若しくは強化ガラスなどのガラス板のほか、ポリカーボネート系、ポリアミド系、若しくはポリエーテルケトン系などのエンジニアリングプラスチック、又は、アクリル系、ポリエチレンテレフタレート系、若しくはポリブチレンテレフタレート系などの透明樹脂板又は透明フィルムを用いることができる。下側電極部材２に用いる下側透明絶縁基材２１は、透明フィルムと透明プラスチック板との積層品であってもよい。この場合は、タッチパネル全体としての耐久性が向上するので好ましい。
【００３０】
上側電極部材１に用いられる可撓性を有する上側透明絶縁基材１１としては、ポリカーボネート系、ポリアミド系、若しくはポリエーテルケトン系などのエンジニアリングプラスチック、アクリル系、ポリエチレンテレフタレート系、又は、ポリブチレンテレフタレート系などの透明フィルムなどを用いることができる。なお、上側電極部材１の上側透明絶縁基材１１の上側透明電極１２を設けた面と反対の面にはハードコート層を形成することができる。ハードコート層としては、シロキサン系樹脂などの無機材料、あるいはアクリルエポキシ系、若しくはウレタン系の熱硬化型樹脂、又はアクリレート系の光硬化型樹脂などの有機材料がある。ハードコート層の厚みは、１〜７×１０−３ｍｍ程度が適当である。また、上側電極部材１の上側透明絶縁基材１１には、上側透明電極１２を設けた面と反対の面に光反射防止のためにノングレア処理を施すことができる。たとえば、凹凸加工したり、ハードコート層中に体質顔料やシリカ、若しくはアルミナなどの微粒子を混ぜたりするとよい。さらに、上側電極部材１の上側透明絶縁基材１１は、１枚のフィルムではなく複数枚のフィルムを重ね合わせた積層体とすることができる。
【００３１】
上側及び下側透明電極１２，２２は、酸化錫、酸化インジウム、酸化アンチモン、酸化亜鉛、酸化カドミウム、若しくはインジウムチンオキサイド（ＩＴＯ）などの金属酸化物膜、これらの金属酸化物を主体とする複合膜、又は金、銀、銅、錫、ニッケル、アルミニウム、若しくはパラジウムなどの金属膜によって形成することができる。また、上側及び下側透明電極１２，２２を２層以上の多層膜とすることができる。上側及び下側透明電極１２，２２を構成するこれらの透明導電膜は、真空蒸着、スパッタリング、イオンプレーティング、若しくはＣＶＤ法などで形成することができる。透明導電膜は、酸などでエッチング処理を行い上側及び下側透明電極１２，２２とする部分以外の不要な部分を除去する方法によってパターン化することができる。また、透明導電膜上の上側及び下側透明電極１２，２２とする部分以外を絶縁性被膜で覆うようにしてもよい。さらに、上側及び下側透明電極１２，２２のいずれかの表面には後述するドット状スペーサ４を形成することができる。
【００３２】
本発明の第１実施形態の特徴は、上記上側及び下側バスバー１３，１４，２３，２４と上記上側及び下側引き回し回路１５，１６，２５，２６とを線径３０〜１００μｍの金属細線８にて形成することにある。金属細線８を用いることでパターニングが不要となり、材料を無駄に捨てずに済み、安価なタッチパネルが得られる。また、メッキ浴への全面浸漬に起因する透視入力する領域への汚れを生じず、歩留まりのよいタッチパネルが得られる。
【００３３】
また、金属細線８を用いることで、上側及び下側バスバー１３，１４，２３，２４と上側及び下側引き回し回路１５，１６，２５，２６は、充分な断面積を確保しながら、つまりタッチパネルに位置検出の誤差が発生しないよう抵抗を小さく抑えながら、同時に幅を細く形成できる。したがって、タッチパネルの周縁部において上側及び下側バスバー１３，１４，２３，２４と上側及び下側引き回し回路１５，１６，２５，２６が占めるスペースを小さくすること、すなわち狭額縁化を進めることができる。
【００３４】
また、上記上側及び下側引き回し回路１５，１６，２５，２６を金属細線８にて形成するように構成することで、この金属細線８を上側電極部材１と下側電極部材２の外側まで延設させて上側及び下側外部端子接続部３０１，３０２，３０３，３０４とすることができ、フィルムコネクタを用いる必要がなくなる。したがって、上側電極部材１と下側電極部材２との間にフィルムコネクタを挿入して接続をするためのスペースをタッチパネルの周縁に確保しなくても済み、より狭額縁化が可能である。
【００３５】
また、フィルムコネクタを要しないため、タッチパネルの周縁部の全周に均一な接着強度が得られる。したがって、タッチパネルの高温試験などを行なっても、局所的に歪が生じて上側電極部材１が波打つといった不具合が生じない。
【００３６】
ここで、金属細線８の材料としては、金、銅、若しくはアルミニウムなどを用いることができる。また、金属細線８は、線径３０〜１００μｍのものを用いる。線径が３０μｍ未満であると、断面積が小さくなり、断線しやすく、生産上、取り扱いにくくなるとともに、タッチパネルに位置検出の誤差が発生しやすくなる。また、線径が１００μｍを超えると、透明電極１２，２２間のギャップが大きくなり入力が困難となる。
【００３７】
上記金属細線８の上側及び下側透明絶縁基材１１，２１上への固着は、例えば、上側及び下側透明絶縁基材１１，２１の溶融固化により行なうことができる（図２参照）。具体的には、上側及び下側透明絶縁基材１１，２１上に金属細線８を配置した後、熱コテ、若しくは熱プレスなどの方法により加熱加圧を加え、上側及び下側透明絶縁基材１１，２１の表層部を軟化させ、冷却により金属細線８の一部を埋設した状態で固定する。ただし、下側電極部材２については、上記した下側電極部材２の下側透明絶縁基材２１の材質が樹脂材料の場合に限定される。
【００３８】
また、上記金属細線８の固着は、外周表面が導電性のホットメルト材９１により被覆された金属細線８を用い、当該ホットメルト材９１の溶融固化により金属細線を上側及び下側透明絶縁基材１１，２１上に固着することもできる（図３参照）。具体的には、上側及び下側透明絶縁基材１１，２１上に導電性のホットメルト材９１により被覆された金属細線８を配置した後、該金属細線８を加熱しながらプレスするなどの方法により加熱加圧を加え、ホットメルト材９１を軟化させ、冷却によるホットメルト材９１の接着力で金属細線８を固定する。上記導電性のホットメルト材９１としては、クロロプレンなどの合成ゴム内に、金、銀、若しくはニッケル等の粒子を分散させた接着剤や、錫、鉛、若しくは錫と鉛の合金などを用いることができる。
【００３９】
また、上記金属細線８の固着は、金属細線８と上側及び下側透明絶縁基材１１，２１との間に導電性ペースト９２を介することにより行なうこともできる（図４参照）。導電性ペースト９２としては、エポキシ樹脂、フェノール樹脂、アクリル樹脂、ウレタン樹脂、若しくはシリコン樹脂などの熱硬化性樹脂やポリアミド、又は、ポリエチレン、ポリスチレン、ポリエステル、ポリウレタン、エチレン−酢酸ビニール共重合体、若しくはエチレン−アクリル酸エチル共重合体などの熱可塑性樹脂中に導電性フィラーを含有させたものを用いる。導電性フィラーとしては、銀、金、銅、ニッケル、白金、若しくはパラジウムなどの導電性金属粉末のほか、核材としてアルミナ、若しくはガラスなどの無機絶縁体、又は、ポリエチレン、ポリスチレン、若しくはジビニルベンゼンなどの有機高分子などを用い、核材表面を金、若しくはニッケルなどの導電層で被覆したもの、カーボン、又はグラファイトなどが挙げられる。また、導電性フィラーは、フレーク状、球状、若しくは短繊維状などの形状のものを用いることができる。導電性ペースト９２の金属細線８上及びその周囲の上側及び下側透明絶縁基材１１，２１上への被覆方法としては、スクリーン印刷、若しくはディスペンサーによる直接塗布などの方法を用いることができる。
【００４０】
また、上記金属細線８の固着は、金属細線８上及びその周囲の上側及び下側透明絶縁基材１１，２１上を接着剤９３にて被覆することにより行なってもよい（図５参照）。具体的には、上側及び下側透明絶縁基材１１，２１上に金属細線８を配置した後、スクリーン印刷、若しくはディスペンサーによる直接塗布などの方法により金属細線８上及びその周囲の上側及び下側透明絶縁基材１１，２１上への被覆を行ない、上側及び下側透明絶縁基材１１，２１と接着剤９３との間に金属細線８を挟み込んで固定する。接着剤９３としては、エポキシ樹脂、アクリレート樹脂などを用いることができる。また、上記した上側及び下側透明絶縁基材１１，２１や導電性のホットメルト材９１の溶融軟化、導電ペースト９２の介在による固定手段をとる場合において、上記接着剤９３による被覆を組み合わせることにより金属細線８の上側及び下側透明絶縁基材１１，２１上への固着力を向上させてもよい（図６〜図８参照）。この場合、金属細線８のみの場合には上側及び下側透明絶縁基材１１，２１に対して主として線接触であるのに対して、接着剤９３として上記した導電性ペーストを用いれば、上側及び下側透明絶縁基材１１，２１に対しては面接触となり、金属細線８のみの場合よりも電気的接続抵抗が小さくなり、さらに導通性を向上させることができる。金属細線８を導電性ペーストにて固定する場合、金属細線８を上側及び下側透明絶縁基材１１，２１上に接続形成する際に、何らかのストレス、作業ミス等で金属細線８が断線しても、それを覆う導電性ペーストが補助導電材として作用する為、機能不良にならないという効果がある。
【００４１】
なお、上記した金属細線８の上側及び下側透明絶縁基材１１，２１上への固着は、上側及び下側バスバー１３，１４，２３，２４と上側及び下側引き回し回路１５，１６，２５，２６の全体で固着する必要はなく、導通と充分な固着が図れれば部分的でもよい。また、図２〜図８は上側及び下側引き回し回路１５，１６，２５，２６となる部分の断面図であるが、上側及び下側バスバー１３，１４，２３，２４の部分においては上側及び下側透明電極１２，２２が存在し、この上側及び下側透明電極１２，２２は上側及び下側透明絶縁基材１１，２１を溶融軟化させる場合には固着部分において上側及び下側透明絶縁基材１１，２１とともに変形する。
【００４２】
スペーサ３は、上側と下側の電極部材間で方形配置されるバスバーを絶縁しうる形態、たとえば図１に示すような枠形態などに形成される。スペーサ３の形成材としては、透明絶縁基材と同様の樹脂フィルム等のほか、アクリル系樹脂、エポキシ系樹脂、若しくはシリコーン系樹脂の如き適宜な樹脂を印刷又は塗布することによってスペーサ３を形成することができるが、一般に、上側電極部材１と下側電極部材２とを固定する枠形態の両面テープ、接着剤又は粘着剤からなる接着層と兼ねさせることが多い。接着剤又は粘着剤からなる接着層を形成する場合にはスクリーン印刷等が用いられる。
【００４３】
また、大判のタッチパネルを形成する場合、上側電極部材１と下側電極部材２の上側及び下側透明電極１２，２２間の空隙を確保するために、上側及び下側透明電極１２，２２のいずれか一方の表面にドット状スペーサ４を形成することもできる（図１参照）。ドット状スペーサ４としては、たとえばメラミンアクリレート樹脂、ウレタンアクリレート樹脂、エポキシアクリレート樹脂、メタアクリルアクリレート樹脂、アクリルアクリレート樹脂などのアクリレート樹脂、若しくはポリビニールアルコール樹脂などの透明な光硬化型樹脂をフォトプロセスで微細なドット状に形成して得ることができる。また、印刷法により微細なドットを多数形成して、スペーサとすることもできる。また、無機物や有機物からなる粒子の分散液を噴霧、又は塗布して乾燥することによってもスペーサを得ることができる。
【００４４】
本発明の第１実施形態の狭額縁タッチパネルは、上記した構成及び作用からなるので、次の効果が奏される。
【００４５】
すなわち、本発明の第１実施形態の狭額縁タッチパネルは、上側及び下側バスバーと上側及び下側引き回し回路とを線径３０〜１００μｍの金属細線にて形成したので、上側及び下側バスバー及び上側及び下側引き回し回路の形成時にパターニングが不要となり、無駄に材料を捨てずに済み、安価なタッチパネルが得られる。また、メッキ浴への全面浸漬する必要がないため透視入力する領域に汚れを生ずるおそれもなく、歩留まりがよい。
【００４６】
また、金属細線を用いることで、上側及び下側バスバーと上側及び下側引き回し回路は、充分な断面積をそれぞれ確保しながら、つまり、タッチパネルに位置検出の誤差が発生しないよう抵抗を小さく抑えながら、同時に幅を細く形成できる。したがって、タッチパネルの周縁部において上側及び下側バスバーと上側及び下側引き回し回路の形成面積をそれぞれ小さくすること、すなわち、狭額縁化を進めることができる。この場合、断面積の大きい、上側及び下側バスバー及び上側及び下側引き回し回路の形成に時間がかからず、生産効率に優れている。
【００４７】
また、本発明の第１実施形態の狭額縁タッチパネルは、上側及び下側引き回し回路を金属細線にて形成するように構成することで、この金属細線を上側電極部材と下側電極部材との外側まで延設させて上側及び下側外部端子接続部とすることができ、フィルムコネクタを用いる必要がなくなる。したがって、上側電極部材と下側電極部材との間にフィルムコネクタを挿入して接続をするためのスペースを、タッチパネルの周縁に確保しなくても済み、より狭額縁化が可能である。
【００４８】
また、本発明の第１実施形態の狭額縁タッチパネルは、フィルムコネクタを要しないため、タッチパネルの周縁部の全周に均一な接着強度が得られる。したがって、タッチパネルの高温試験などを行なっても、局所的に歪が生じて上側電極部材が波打つといった不具合が生じない。
【００４９】
次に、本発明の第２実施形態にかかる狭額縁タッチパネルは、入力領域や表示画面を広く取った狭額縁タッチパネルにおいて、金属細線の配置形状が第１実施形態と異なるものである。
【００５０】
従来より、電子手帳やパソコンなどに使用されるタッチパネルとしてはアナログ抵抗膜方式のものがある。通常、図１６に示されているように、透明絶縁基材５１１の下面の一部に透明電極５１２を有すると共に、透明電極５１２上に形成される一対のバスバー５１３，５１４、及び当該バスバー５１３，５１４と外部端子とを接続するように透明電極５１２以外の部分に形成される引き回し回路５１５，５１６をそれぞれ有する上側電極部材５０１と、透明絶縁基材５２１の上面の一部に透明電極５２２を有すると共に、透明電極５２２上に形成される一対のバスバー５２３，５２４、及び当該バスバー５２３，５２４と外部端子とを接続するように透明電極５２２以外の部分に形成される引き回し回路５２５，５２６をそれぞれ有する下側電極部材５０２とを、バスバー５１３，５１４，５２３，５２４が方形配置となるようにスペーサ３を介して対向させ、周縁部で接着している。また、引き回し回路５１５，５１６，５２５，５２６の他端はタッチパネルの一辺においてまとめられ、フィルムコネクタ５０５の端部と接続されている。
【００５１】
ところで、最近では上記のようなタッチパネルについて、製品の小型化及び画面の大型化のため、バスバー及び引き回し回路の配線がパネルの縁から僅かの狭額縁範囲に納まるように形成することが望まれている（特開２００１−２１６０９０号公報参照）。
【００５２】
しかし、上記バスバー５１３，５１４，５２３，５２４及び引き回し回路５１５，５１６，５２５，５２６は、金、銀、銅、若しくはニッケルなどの金属あるいはカーボンなどの導電フィラーを樹脂バインダー中に分散させた導電性ペーストをスクリーン印刷してなるものなので、回路抵抗が大きく、狭額縁化のために線幅を細く形成すると回路抵抗はさらに大きくなる。しかも、線幅を細くすると、均一な膜厚での印刷が困難になり印刷の掠れが生ずる。この大きな回路抵抗や掠れは、タッチパネルの入力精度の低下を招く。因に、導電性ペーストは低抵抗のものを使用する工夫をしてきたが、現状は比抵抗値３０×１０−６Ω・ｃｍ程度が限界である。
【００５３】
また、従来技術は、バスバー５１３，５１４，５２３，５２４と外部端子との接続にフィルムコネクタ５０５を用い、且つバスバー５１３，５１４，５２３，５２４とフィルムコネクタ５０５との間には引き回し回路５１５，５１６，５２５，５２６が存在しているため、次のような問題も生じた。すなわち、フィルムコネクタ５０５と引き回し回路５１５，５１６，５２５，５２６とはタッチパネルの一辺においてまとめられて接続されていることが多く、この場合、同一面上において引き回し回路５２５とバスバー５２４とが並列に形成される。つまり、他辺と同様の額縁幅とするためには、各線幅をさらに細く形成する必要がある。これは上記した入力精度の低下をさらに増大させる。
【００５４】
また、引き回し回路５１５，５１６，５２５，５２６とフィルムコネクタ５０５との接続は従来より異方導電接着材を介して接着されるが、接着強度を確保するために、広い接着面積を必要とする。そのために、フィルムコネクタ５０５との接続部分の辺は、狭額縁にすることが困難となる。
【００５５】
したがって、本発明の第２実施形態の目的は、上記の問題点を解決し、入力精度が高く、４辺とも狭額縁化が可能である狭額縁タッチパネルを提供することにある。
【００５６】
以下に、図１１〜図１５、図２２を参照しながら本発明の第２実施形態に係る狭額縁タッチパネルを詳細に説明する。
【００５７】
図１１及び図１３に示されるタッチパネルは、上側透明絶縁基材１１の下面の一部に上側透明電極１２を有すると共に、上側透明電極１２上に形成される一対の上側バスバー１３，１４を有する上側電極部材１と、下側透明絶縁基材２１の上面の一部に下側透明電極２２を有すると共に、下側透明電極２２上に形成される一対の下側バスバー２３，２４を有する下側電極部材２とを、上側及び下側バスバー１３，１４，２３，２４が方形配置となるようにスペーサ３を介して対向させ、周縁部で接着しているアナログ抵抗膜方式のタッチパネルであり、本発明の第２実施形態の特徴として上記上側及び下側バスバー１３，１４，２３，２４のみ（言い換えれば、第２実施形態では引き回し回路は無く、上記上側及び下側バスバー１３，１４，２３，２４と上側及び下側外部端子接続部３１３，３１４，３２３，３２４と）を線径３０〜１００μｍの金属細線１１３，１１４，２２３，２２４にて形成し、且つ当該金属細線１１３，１１４，２２３，２２４を上記上側電極部材１と上記下側電極部材２とを接着したものの外側まで上記上側及び下側バスバー１３，１４，２３，２４の一端から直接延設させて上側及び下側外部端子接続部３１３，３１４，３２３，３２４としたものである。一例として、下側電極部材２では、金属細線２２３，２２４を、図１１の下側電極部材２の左下コーナー部分と右上コーナー部分のそれぞれから外側まで延設させて下側外部端子接続部３２３，３２４とするとともに、上側電極部材１では、２本の金属細線１１３，１１４を、図１１の上側電極部材１の左下コーナー部分と右上コーナー部分のそれぞれから外側まで延設させて上側外部端子接続部３１３，３１４とするようにしている。なお、上記図１１及び上記図１３中、上側透明電極１２及び上側バスバー１３，１４は上側透明絶縁基材１１を透視して描かれている。
【００５８】
なお、金属細線１１３，１１４，２２３，２２４の線径が３０μｍ未満であると、断線しやすく、生産上、取り扱いにくくなる。また、金属細線１１３，１１４，２２３，２２４の線径が１００μｍを超えると、上側と下側透明電極１２，２２間のギャップが大きくなり入力が困難となる。
【００５９】
上記の比抵抗値２０×１０−６Ω・ｃｍ以下という条件を満足する金属細線１１３，１１４，２２３，２２４の材質としては、たとえば、金、銀、銅、ニッケル、錫、鉄等を用いることができる。金属細線１１３，１１４，２２３，２２４は、同一金属で構成されていても良いし、２種類以上の合金であっても良い。また金属細線１１３，１１４，２２３，２２４の周囲に１種類以上の金属層がメッキ等で被覆されていてもよい。また、金属細線１１３，１１４，２２３，２２４の断面形状も丸型、四角型、楕円型と特に限定されるものではなく、適宜適応できるような形状に設計すればよい。
【００６０】
また、本発明の第２実施形態の狭額縁タッチパネルにおいては、上記金属細線８，１１３，１１４，２２３，２２４の上側と下側透明絶縁基材１１，２１上への固定を、上側と下側透明絶縁基材１１，２１上の上記金属細線８，１１３，１１４，２２３，２２４とその周囲を導電性ペースト６で被覆することによって行なうとよい（図１５及び図２２参照）。なお、上記固定を確実にするには、厚み５μｍ以上の導電性ペースト６で被覆する。図２２は、図１５の詳細図であり、３Ａは上側と下側透明電極１２，２２の絶縁確保のための絶縁層である。
【００６１】
金属細線８，１１３，１１４，２２３，２２４を固定する際、金属細線１１３，１１４，２２３，２２４を上側と下側透明絶縁基材１１，２１上に配置してから導電性ペースト６を塗布しても良いし、あらかじめ金属細線８，１１３，１１４，２２３，２２４に導電性ペースト６を被覆してからこれを上側と下側透明絶縁基材１１，２１上に配置してもよい。
【００６２】
上記導電性ペースト６は、樹脂バインダー中に導電性フィラーが分散されているものである。導電性フィラーの材質としては、例えば、金、銀、銅、アルミニウム、ニッケル、錫、若しくはカーボン等がある。
【００６３】
樹脂バインダーとは、特定の材料同士を接合又は結合させる樹脂のことであり、本発明の上記第２実施形態の場合は、導電性フィラー同士の接合及び導電性フィラーを透明導電膜面上に接合させるための接合材のことである。樹脂バインダーとしては、アクリル系樹脂、ウレタン系樹脂、エポキシ系樹脂、又はシリコン系樹脂等の樹脂を用いることができ、硬化方法としては熱硬化、溶剤蒸発乾燥、又はＵＶ硬化等により適宜硬化させて透明電極上に固着させる。特に、ＵＶ硬化の場合、塗布した端からほぼ同時に硬化が可能であるため、１）塗布が全て完了した後にオーブンに移して硬化させる必要がなく、作業が簡略化され、２）液垂れが起こる間がないので、線幅や厚みの寸法安定性に優れるといった効果を奏することができる。
【００６４】
また、導電性ペースト６で被覆して金属細線１１３，１１４，２２３，２２４を固定する場合、固定に必要な幅は５０〜５００μｍが望ましい。幅が５０μｍ未満となると、金属細線１１３，１１４，２２３，２２４と上側と下側透明電極１２，２２との接着性が弱くなり、上側と下側透明電極１２，２２から金属細線１１３，１１４，２２３，２２４が剥離してしまう可能性がある。幅が５００μｍを超えると、上側電極部材１と下側電極部材２の周縁部の接着力が弱くなり剥がれる恐れがあり、また狭額縁のメリットがなくなってしまう。
【００６５】
また、金属細線１１３，１１４，２２３，２２４の上記上側と下側バスバー１３，１４，２３，２４の一端からの延設部分である上側及び下側外部端子接続部３１３，３１４，３２３，３２４は、タッチパネルのコーナーにより近い箇所にすることが望ましい。延設部分をタッチパネルのコーナーに出来るだけ近く設計することにより、狭額縁化が可能で視認領域が広くなるからである。また、金属細線１１３，１１４，２２３，２２４の延設部分である上側及び下側外部端子接続部３１３，３１４，３２３，３２４は、タッチパネルのコーナー毎に配置されて外部端子と接続してもよいし（図１４参照）、タッチパネルの対向する２コーナーに集約して配置されて外部端子と接続してもよい（図１２参照）。外部端子の設計状況にあわせて金属細線１１３，１１４，２２３，２２４の延設箇所（上側及び下側外部端子接続部３１３，３１４，３２３，３２４の外部への延設配置箇所）を決定すればよい。なお、外部端子の設計状況とは別の観点からすれば、前者には金属細線同士の絶縁を確保できるという利点、後者には外部端子との接続リア数を減らせる、つまりタッチパネル以外の回路の省スペース化が可能になるという利点がある。
【００６６】
上側電極部材１に用いられる上側透明絶縁基材１１としては、ポリカーボネート系、ポリアミド系、ポリエーテルケトン系などのエンジニアリングプラスチック、アクリル系、ポリエチレンテレフタレート系、若しくはポリブチレンテレフタレート系などの透明フィルムなどの可撓性を有するものを用いることができる。さらに、上側電極部材１の上側透明絶縁基材１１は、１枚のフィルムではなく複数枚のフィルムを重ね合わせた積層体とすることができる。なお、上側電極部材１の上側透明絶縁基材１１の上側透明電極１２を設けた面と反対の面にはハードコート層を形成することができる。ハードコート層としては、シロキサン系樹脂などの無機材料、あるいはアクリルエポキシ系、ウレタン系の熱硬化型樹脂やアクリレート系の光硬化型樹脂などの有機材料がある。ハードコート層の厚みは、１〜７×１０−３ｍｍ程度が適当である。また、上側電極部材１の上側透明絶縁基材１１には、上側透明電極１２を設けた面と反対の面に光反射防止のためにノングレア処理を施すことができる。たとえば、上側透明電極１２を設けた面と反対の面に凹凸加工を施したり、ハードコート層中に体質顔料やシリカ、アルミナなどの微粒子を混ぜたりするとよい。
【００６７】
下側電極部材２に用いられる下側透明絶縁基材２１としては、ソーダガラス、ホウケイ酸ガラス、若しくは強化ガラスなどのガラス板のほか、ポリカーボネート系、ポリアミド系、若しくはポリエーテルケトン系などのエンジニアリングプラスチック、又は、アクリル系、ポリエチレンテレフタレート系、ポリブチレンテレフタレート系などの透明樹脂板若しくは透明フィルムを用いることができる。下側電極部材２に用いる下側透明絶縁基材２１は、透明フィルムと透明プラスチック板又はガラス板との積層品であってもよい。この場合はタッチパネル全体としての耐久性が向上するので好ましい。
【００６８】
上側と下側透明電極１２，２２は、酸化錫、酸化インジウム、酸化アンチモン、酸化亜鉛、酸化カドミウム、インジウムチンオキサイド（ＩＴＯ）などの金属酸化物膜、これらの金属酸化物を主体とする複合膜、又は金、銀、銅、錫、ニッケル、アルミニウム、パラジウムなどの金属膜によって、形成することができる。また、上側と下側透明電極１２，２２を２層以上の多層膜とすることができる。上側と下側透明電極１２，２２を構成するこれらの透明導電膜は真空蒸着、スパッタリング、イオンプレーティング、ＣＶＤ法などで形成することができる。透明導電膜は、酸などでエッチング処理を行い、上側と下側透明電極１２，２２とする部分以外の不要な部分を除去する方法によってパターン化することができる。また、上側と下側透明導電膜上の上側と下側透明電極１２，２２とする部分以外を絶縁性被膜で覆うようにしてもよい。
【００６９】
スペーサ３は、上側と下側透明電極１２，２２間のギャップを確保しうる形態、たとえば図１１，図１３に示すような枠形態などに形成される。スペーサ３の形成材としては、上側と下側透明絶縁基材と同様の樹脂フィルム等のほか、アクリル系樹脂、エポキシ系樹脂、若しくはシリコーン系樹脂の如き適宜な樹脂を印刷又は塗布したものを用いることができるが、一般に上側電極部材１と下側電極部材２とを周縁部で接着するための両面テープ、接着剤又は粘着剤からなる接着層と兼ねさせることが多い。なお、接着剤又は粘着剤からなる接着層を形成する場合には、確実に上下の絶縁を得るために、前述のとおり、透明導電膜のパターン化や絶縁性被膜の被覆が必要である。これに対して、両面テープの場合は、芯材を有しているため既に十分に絶縁性が確保されており、透明導電膜のパターン化や絶縁性被膜の被覆を行なわなくても構わない。すなわち、工程の省略や製造コストの抑制が可能である。
【００７０】
ところで、上側電極部材と下側電極部材の周縁部での接着に関し、本発明の第２実施形態の狭額縁タッチパネルは金属細線が引き回し回路を構成しないので、一方の電極部材のバスバーを有する辺に対向して貼り合わせる他方の電極部材の辺が常にフラットな面となる。したがって、狭額縁化しても接着性が劣化することがなく、タッチパネルの信頼性が増す。
【００７１】
また、大判のタッチパネルを形成する場合、上側電極部材１と下側電極部材２の上側と下側透明電極１２，２２間の空隙を確保するために、上側と下側透明電極１２，２２のいずれか一方の表面にドット状スペーサ４を形成することもできる（図１１，図１３参照）。ドット状スペーサ４としては、たとえばメラミンアクリレート樹脂、ウレタンアクリレート樹脂、エポキシアクリレート樹脂、メタアクリルアクリレート樹脂、若しくはアクリルアクリレート樹脂などのアクリル系樹脂、又はポリビニールアルコール樹脂などの透明な光硬化型樹脂をフォトプロセスで微細なドット状に形成して得ることができる。また、印刷法により微細なドットを多数形成して、スペーサとすることもできる。また、無機物や有機物からなる粒子の分散液を噴霧、又は塗布して乾燥することによってもスペーサを得ることができる。
【００７２】
本発明の第２実施形態は、コンピュータに接続されたＬＣＤやＣＲＴなどの表示画面上に配置し、透視した表示画面に表示された指示に従って指やペンなどで上から押圧することにより、押圧箇所の表示画面中における位置をコンピュータに入力することができるアナログ抵抗膜方式のタッチパネルに関するものである。特に携帯性を重視した情報端末（ＰＤＡ＝パーソナルデジタルアシスタント）に使用できる。
また、本発明の第２実施形態の狭額縁タッチパネルは、上記した構成からなるので、次の効果が奏される。
【００７３】
すなわち、本発明の第２実施形態の狭額縁タッチパネルは、バスバーのみ（言い換えれば、第２実施形態では引き回し回路は無く、上記上側及び下側バスバーと上側及び下側外部端子接続部と）を線径３０〜１００μｍの金属細線にて形成し、且つ当該金属細線を上記上側電極部材と上記下側電極部材とを接着したものの外側まで上記バスバーの一端から直接延設させて上側及び下側外部端子接続部とするので、バスバーの線幅を細くしても回路抵抗の上昇を抑えることができ、入力精度の高いタッチパネルを提供できる。
【００７４】
また、本発明の第２実施形態の狭額縁タッチパネルは、引き回し回路が存在しないので、従来のように同一面上において引き回し回路とバスバーとが並列に形成されることがない。つまり、４辺の狭額縁化が、入力精度の低下させることなく可能となる。
【００７５】
また、本発明の第２実施形態の狭額縁タッチパネルは、フィルムコネクタを用いないので、従来のようにフィルムコネクタの接着強度を確保するための広い接着面積を必要としない。したがって、４辺の狭額縁化が可能となる。
【００７６】
また、本発明の第１実施形態及び第２実施形態によれば、金属細線及び導電性ペーストを用いることで、バスバー及び引き回し回路、又は、バスバーを従来よりも細かくすることが出来る為、それらを覆い絶縁を確保する為の枠状スペーサー（両面テープや粘着剤）も同時に細くすることが可能となり、有効操作エリアは、従来とおりのサイズを確保した上で、外形サイズを小さくすることが出来、装置全体の小型化が可能になる。
【００７７】
なお、本発明は上記実施形態に限定されるものではなく、その他種々の態様で実施できる。
【００７８】
例えば、上側電極部材１と下側電極部材２とのそれぞれから金属細線を外側まで延設させて上側及び下側外部端子接続部３０１，３０２，３０３，３０４とするようにしているが、これに限られるものではなく、本発明の第１実施形態の変形例にかかるタッチパネルとして、上側電極部材１と下側電極部材２とをまとめて１箇所で金属細線以外のもので外側まで延設させて上側及び下側外部端子接続部とするようにしてもよい。具体的には、図１９〜図２１に示されるように、上側電極部材１と下側電極部材２の引き回し回路の４本の金属細線をまとめて接続したフィルムコネクタ９０を、図１９の右辺の上側端部付近に配置するようにしてもよい。このようなフィルムコネクタ９０はＦＰＣ（フレキシブル・プリンテッド・サーキット）により構成されてタッチパネルの取り出し部分を形成する場合には、以下のような利点がある。タッチパネルの駆動、ディスプレィの駆動、装置全体の駆動等を行っているメインボードに、可撓性のあるフィルムコネクタ９０により、容易に接続・脱着することが可能となり、組み立て工数を減らすことができる。さらに、タッチパネル単体での電気検査（出荷時、評価時）が容易に出来、検査処理能力が向上する。また、標準ＦＰＣを使用することで、開発コストを低減することが可能となる。
【００７９】
金属細線８，１１３，１１４，２２３，２２４は、それぞれ、直線部１５０と屈曲部１５１とで構成されている。このうち屈曲部１５１は、環境温度変化により、引っ張り、収縮等のストレスがかかる為，それ以外の部分（直線部１５０）と比べてより強固に上側及び下側透明電極１２，２２に接続させる必要がある。その為、導電性ペースト９３で金属細線８を覆うことにより被覆層を形成する際、導電性ペースト９３の被覆層形成幅（図１７参照：固定面である上側及び下側透明電極１２，２２の表面との接触幅）Ｄ２の屈曲部１５１における許容範囲は、直線部１５０における被覆層形成幅の許容範囲より下限値が大きくなるのが好ましい。
【００８０】
導電性ペースト９３で金属細線８を覆う際、導電性ペースト９３の被覆層形成幅Ｄ２のバスバー部分における許容範囲は、それ以外の部分（第１実施形態の上側及び下側引き回し回路１５，１６，２５，２６、後述する第２実施形態の出力端部分）における被覆層形成幅Ｄ２の許容範囲より下限値が大きくなるのが好ましい。何故なら、バスバー部分の導電性ペースト９３の被覆層形成幅Ｄ２が狭いと、金属細線８と透明電極（ＩＴＯ膜等）１１，１２との接着性が不十分で、安定な接続抵抗が得られず、また、環境温度変化等による熱膨張差で、剥離してしまう可能性があるからである。これに対し、バスバー部分以外の部分は、透明導電膜を除去あるいは、透明導電膜上に絶縁膜をコーティングした部分に配置する為、下地膜との電気的な接続は不要であり、金属細線８のみで導通をとることになる。なお、バスバー部分以外の部分も、被覆層形成幅を狭くしすぎると、金属細線８が断線した場合に、先に述べたように導電性ペーストを補助導電材として機能させようとしても、導通確保が出来なくなる。
【００８１】
また、上側透明電極１２と金属細線８との接続は、入力時や環境温度変化により、引っ張り、収縮、たわみ等のストレスがかかる為、下側透明電極２２と金属細線８との接続よりも、より強固に接続させる必要がある。その為、導電性ペースト９３で金属細線８を覆う際、上側透明電極１２での導電性ペースト９３の被覆層形成幅Ｄ２の許容範囲は、下側透明電極２２での導電性ペースト９３の被覆層形成幅Ｄ２の許容範囲より下限値が大きくなるのが好ましい。
【００８２】
この結果、例えば、以下の表１のように導電性ペースト９３の被覆層形成幅Ｄ２を構成することが好ましい。
【００８３】
【表１】
2005128993.tif 000003
【００８４】
このようにすることで、金属細線８と上側及び下側透明電極１２，２２との接続面積を確保出来、引っ張り、収縮のストレスに強くなる。例えば直線部１５０を比較的狭い幅で形成したわかりやすい形で敢えて図示すると、図１８のように屈曲部１５１にランドが形成されたようになる。なお、直線部１５０の幅を屈曲部１５１に合わせて太くすることもできる。
【００８５】
さらに、鋭意検討した結果、本発明の第２実施形態に用いる金属細線１１３，１１４，２２３，２２４としては、比抵抗値２０×１０−６Ω・ｃｍ以下であれば上記線径３０〜１００μｍで十分に低抵抗化することができる。ここで、比抵抗値２０×１０−６Ω・ｃｍ以下とする理由は、以下のとおりである。すなわち、スクリーン印刷で十分に回路形成パターンを形成するための限界印刷において、幅は０．５ｍｍで厚みは５μ程度になる。その場合、導電性ペーストの一般的な比抵抗値が９×１０−５Ω・ｃｍであるため、回路抵抗は０．３５Ω／ｃｍとなる。それに対し、直径３０μｍの金属細線を用いる場合、スクリーン印刷と同等の回路抵抗値を得るためには、本発明に用いる金属細線８，１１３，１１４，２２３，２２４の比抵抗値は約２５×１０−６Ω・ｃｍとなるため、金属細線の比抵抗値が２０×１０−６Ω・ｃｍ以下のものを選択することにより、スクリーン印刷で回路形成するよりも、さらに低抵抗で狭額縁な回路形成が可能となるからである。
【００８６】
なお、上記金属細線８，１１３，１１４，２２３，２２４の固定手段としては、上記したもの以外の方法を用いることもできる。例えば、透明絶縁基材１１，２１の溶融固化により行なうことができる。また、金属細線１１３，１１４，２２３，２２４上及びその周囲の上側と下側透明絶縁基材１１，２１上を接着剤にて被覆することにより行なってもよい。しかし、上記した上側と下側透明絶縁基材１１，２１上の上記金属細線１１３，１１４，２２３，２２４とその周囲を導電性ペーストで被覆する手段が、透明電極１２，２２を加熱加圧して劣化させる恐れがない点、透明電極１２，２２と金属細線１１３，１１４，２２３，２２４との導電安定性がある点で最も好ましい。
【００８７】
また、導電性ペースト６としては、比抵抗値１×１０−４Ω・ｃｍ以下のものを用いることが望ましい。従来の回路形成用の導電性ペーストであればさらに低抵抗の必要があるが、本発明の第２実施形態では、金属細線８，１１３，１１４，２２３，２２４が上側と下側バスバー１３、１４、２３、２４の核になっており、当該金属細線８，１１３，１１４，２２３，２２４と透明電極１２，２２間との導通が確保できればいいので、導電性ペースト６の選択範囲の上限が比抵抗値１×１０−４Ω・ｃｍまで広がり、接着性頼性等も十分考慮して選定することができる。ただし、あらかじめ金属細線８，１１３，１１４，２２３，２２４に導電性ペースト６を被覆してからこれを上側及び下側透明絶縁基材１１，２１上に配置する場合、あるいは断面形状が丸型である場合、又は上側及び下側透明電極１２，２２との接触面積が小さい金属細線を上側及び下側透明絶縁基材１１，２１上に配置してから導電性ペースト６を塗布する場合には、導電性ペースト６の抵抗が問題になる。導電性ペースト６の比抵抗が１×１０−４Ω・ｃｍを超えると、金属細線と透明電極１２，２２間の抵抗上昇が無視できなくなり、ペン入力時の入力精度が低下する。
【００８８】
なお、上記様々な実施形態のうちの任意の実施形態を適宜組み合わせることにより、それぞれの有する効果を奏するようにすることができる。
【００８９】
本発明は、添付図面を参照しながら好ましい実施形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
【実施例１】
【００９０】
縦６５ｍｍ、横８６ｍｍ、厚み１２５μｍのポリエステル樹脂フィルムを下側透明絶縁基材として用い、その上面に厚み１５ｎｍのＩＴＯ膜をスパッタリングにて形成し、ＩＴＯ膜の周縁部分を除去して下側透明電極とした。次いで、下側透明電極の平行な二辺の下側バスバー及び下側透明電極以外の部分にてこの下側バスバーに接続する下側引き回し回路となるように、金からなる線径５０μｍの金属細線を２本、一端を下側透明絶縁基材の外側に１５ｍｍ延長して配置した。さらに、金属細線を被覆するようにディスペンサーで導電性ペーストを塗布して、１５０μｍの幅で金属細線を下側透明絶縁基材に固定し、下側透明絶縁基材の端より幅０．５ｍｍを額縁部分とする下側電極部材を得た。
【００９１】
また、縦横が下側電極部材の透明絶縁基材と同寸法で、厚み１８８μｍのポリエステル樹脂フィルムを上側電極部材の上側透明絶縁基材として用い、下側電極部材と同様にして上側電極部材を得た。最後に、両電極部材を電極間に空気層を介して対向配置させ、両者を周縁部において両面テープにて接着し、狭額縁タッチパネルを得た。
【実施例２】
【００９２】
外周表面が錫からなる導電性のホットメルト材により被覆された金属細線を用い、これを加熱することによるホットメルト材の溶融固化により金属細線を上側と下側の透明絶縁基材上にそれぞれ固定したこと以外、実施例１と同様とした。
【実施例３】
【００９３】
上側と下側の透明絶縁基材上にディスペンサーにより銀ペーストをそれぞれ塗布し、これを介して金属細線を上側と下側の透明絶縁基材上にそれぞれ固定したこと以外、実施例１と同様とした。
【実施例４】
【００９４】
金属細線を上側と下側の透明絶縁基材上にそれぞれ固定した後、さらに金属細線上及びその周囲の上側と下側の透明絶縁基材上を銀ペーストを用いてディスペンサーにより塗布してそれぞれ被覆したこと以外、実施例１と同様とした。
【実施例５】
【００９５】
縦８５ｍｍ、横６０ｍｍ、厚み１８８μｍのポリエステル樹脂フィルムを下側透明絶縁基材として用い、その上面に厚み１０ｎｍのＩＴＯ膜をスパッタリングにて全面形成し、ＩＴＯ膜の短辺部分（０．５ｍｍ幅）を除去してその他の箇所を下側透明電極とした。次いで、下側透明絶縁基材の長辺について、その端から０．２ｍｍ内側の位置に線径８０μｍの銅線に厚み１０μｍの錫メッキをしてなる線径１００μｍの金属細線（比抵抗値１．７×１０−４Ω・ｃｍ）を張力をかけた状態でそれぞれ配置し、下側透明絶縁基材上の金属細線を下側バスバーとした。次に、張力をかけた状態の下側バスバーとその周囲の上に、樹脂バインダー中に銀の導電フィラーを含有した導電性ペースト（東洋紡製「ＤＷ２５０Ｈ−５７」：比抵抗値３．５×１０−５Ω・ｃｍ）を内径３００μｍの針先のディスペンサーを用いて厚み１５μｍとなるように塗布し、８０℃３０分乾燥を行うことにより金属細線を固定した。次いで、金属細線のうち一方はバスバーの端より切り落とし、他端は下側バスバーより８ｍｍ先で切り落として下側電極部材を得た。下側バスバーの固定に要した幅は３５０μｍ、回路抵抗は０．０９Ω／ｃｍと低いものであった。
【００９６】
他方、縦横が下側電極部材の下側透明絶縁基材と同寸法で、厚み１８８μｍのポリエステル樹脂フィルムを上側電極部材の上側透明絶縁基材として用い、上側透明絶縁基材の短辺に上側バスバーを形成する以外は下側電極部材と同様にして、上側電極部材を得た。
【００９７】
上側と下側透明電極上に形成される一対の上側と下側バスバーを有する上記下側電極部材及び上記上側電極部材を、上側と下側バスバーが方形配置となるように且つ金属細線の上記延設部分である上側及び下側外部端子接続部がタッチパネルのコーナー毎に配置されるように、上側と下側透明電極間に空気層を介して対向配置させ、両者を周縁部で０．５ｍｍ幅の両面テープにて接着し、狭額縁タッチパネルを得た。
【実施例６】
【００９８】
金属細線の延設部分である上側及び下側外部端子接続部が、タッチパネルの対向する２コーナーに集約して配置されている以外は、実施例５と同様とした。
【図面の簡単な説明】
【００９９】
【図１】本発明の第１実施形態に係るアナログ抵抗膜方式のタッチパネルを示す分解斜視図である。
【図２】本発明の第１実施形態に係るアナログ抵抗膜方式のタッチパネルにおける金属細線の固着状態を示す部分断面図である。
【図３】本発明の第１実施形態に係るアナログ抵抗膜方式のタッチパネルにおける金属細線の固着状態を示す部分断面図である。
【図４】本発明の第１実施形態に係るアナログ抵抗膜方式のタッチパネルにおける金属細線の固着状態を示す部分断面図である。
【図５】本発明の第１実施形態に係るアナログ抵抗膜方式のタッチパネルにおける金属細線の固着状態を示す部分断面図である。
【図６】本発明の第１実施形態に係るアナログ抵抗膜方式のタッチパネルにおける金属細線の固着状態を示す部分断面図である。
【図７】本発明の第１実施形態にかかるアナログ抵抗膜方式のタッチパネルにおける金属細線の固着状態を示す部分断面図である。
【図８】本発明の第１実施形態に係るアナログ抵抗膜方式のタッチパネルにおける金属細線の固着状態を示す部分断面図である。
【図９】従来技術に係るアナログ抵抗膜方式のタッチパネルの一例を示す分解斜視図である。
【図１０】アナログ抵抗膜方式のタッチパネルの原理図である。
【図１１】本発明の第２実施形態に係るタッチパネルを示す分解斜視図である。
【図１２】図１１における金属細線の延設部分の配置を示す斜視図である。
【図１３】本発明の第２実施形態に係るタッチパネルを示す分解斜視図である。
【図１４】図１３における金属細線の延設部分の配置を示す斜視図である。
【図１５】本発明の第２実施形態に係るタッチパネルを示す部分断面図及び詳細な断面図である。
【図１６】従来技術に係るタッチパネルの一例を示す分解斜視図である。
【図１７】本発明の第１及び第２実施形態に係るタッチパネルにおいて導電性ペーストで金属細線を覆う際に導電性ペーストの被覆層形成幅（固定面との接触幅)の屈曲部における許容範囲を示す断面図である。
【図１８】図１７において、直線部を屈曲部と比べて、比較的狭い幅で形成したわかりやすい形で敢えて示した説明図である。
【図１９】本発明の第１実施形態の変形例にかかるタッチパネルの斜視図である。
【図２０】図１９の本発明の上記第１実施形態の変形例にかかるタッチパネルの上側電極部材の平面図である。
【図２１】図１９の本発明の上記第１実施形態の変形例にかかるタッチパネルの下側電極部材の平面図である。
【図２２】本発明の第２実施形態に係るタッチパネルを示す部分断面図及び詳細な断面図である。
【符号の説明】
【０１００】
１  上側電極部材
１１  上側透明絶縁基材
１２  上側透明電極
１３  上側バスバー
１４  上側バスバー
１５  引き回し回路
１６  引き回し回路
２  下側電極部材
２１  下側透明絶縁基材
２２  下側透明電極
２３  下側バスバー
２４  下側バスバー
２５  引き回し回路
２６  引き回し回路
３  スペーサ
４  ドット状スペーサ
３０１  上側外部端子接続部
３０２  上側外部端子接続部
３０３  下側外部端子接続部
３０４  下側外部端子接続部
８  金属細線
９１  ホットメルト材
９２  導電性ペースト
９３  接着剤（導電性ペーストを含む）
４０１  上側電極部材
４１１  透明絶縁基材
４１２  透明電極
４１３  バスバー
４１４  バスバー
４１５  引き回し回路
４１６  引き回し回路
４０２  下側電極部材
４２１  透明絶縁基材
４２２  透明電極
４２３  バスバー
４２４  バスバー
４２５  引き回し回路
４２６  引き回し回路
４０３  スペーサ
４０７  フィルムコネクタ
４０４  分圧出力端
４０５  分圧出力端
１１３  金属細線
１１４  金属細線
２２３  金属細線
２２４  金属細線
３１３  上側外部端子接続部
３１４  上側外部端子接続部
３２３  下側外部端子接続部
３２４  下側外部端子接続部
６  導電性ペースト
５０１  上側電極部材
５１１  透明絶縁基材
５１２  透明電極
５１３  バスバー
５１４  バスバー
５１５  引き回し回路
５１６  引き回し回路
５０２  下側電極部材
５２１  透明絶縁基材
５２２  透明電極
５２３  バスバー
５２４  バスバー
５２５  引き回し回路
５２６  引き回し回路
５０３  スペーサ
５０４  ドット状スペーサ
５０５  フィルムコネクタ
１５０  直線部
１５１  屈曲部
９０  フィルムコネクタ
３Ａ  絶縁層 
【図１】
2005128993.tif 000004
【図２】
2005128993.tif 000005
【図３】
2005128993.tif 000006
【図４】
2005128993.tif 000007
【図５】
2005128993.tif 000008
【図６】
2005128993.tif 000009
【図７】
2005128993.tif 000010
【図８】
2005128993.tif 000011
【図９】
2005128993.tif 000012
【図１０】
2005128993.tif 000013
【図１１】
2005128993.tif 000014
【図１２】
2005128993.tif 000015
【図１３】
2005128993.tif 000016
【図１４】
2005128993.tif 000017
【図１５】
2005128993.tif 000018
【図１６】
2005128993.tif 000019
【図１７】
2005128993.tif 000020
【図１８】
2005128993.tif 000021
【図１９】
2005128993.tif 000022
【図２０】
2005128993.tif 000023
【図２１】
2005128993.tif 000024
【図２２】
2005128993.tif 000025